(57)【要約】【課題】  所望に応じて曲間情報の出力内容を適宜変更し得る音楽再生装置を提供する。【解決手段】  カラオケ演奏が行われていない曲間に出力される映像及び音声から成る曲間情報に関して音声出力の有無を設定する曲間情報音声設定手段６６を含むことから、所望される場の雰囲気に応じてその曲間情報の音声をオフにしたり、その曲間情報の内容を効果的に伝えるために音声をオンにしたりというように、所望に応じて曲間情報の出力内容を適宜変更し得るカラオケ装置１０を提供することができる。【選択図】  図４
2005148577.tif 000002
【特許請求の範囲】
【請求項１】
複数の演奏曲のうちから選択された所望の演奏曲を出力させると共に、該演奏曲の出力が行われていない曲間に映像及び音声から成る所定の曲間情報を出力させる音楽再生装置であって、
該曲間情報に関して音声出力の有無を設定する曲間情報音声設定手段を含むことを特徴とする音楽再生装置。
【請求項２】
前記曲間情報音声設定手段は、前記曲間に出力させられる曲間情報の音声出力の有無を一括して設定し得るものである請求項１の音楽再生装置。
【請求項３】
前記曲間情報音声設定手段は、各曲間情報の音声出力の有無をそれぞれ個別に設定し得るものである請求項１又は２の音楽再生装置。
【請求項４】
前記曲間情報は、複数の種類の何れかにそれぞれ分類されるものであり、前記音楽再生装置は、所定の種類に属する曲間情報が前記曲間に出力させられるように設定する曲間情報種類設定手段を含むものである請求項１から３の何れかの音楽再生装置。
【請求項５】
前記音楽再生装置の起動が行われてから前記演奏曲の出力が開始されるまでの間に初期情報として所定の曲間情報が出力させられるように設定する初期情報設定手段を含むものである請求項１から４の何れかの音楽再生装置。
【請求項６】
予め取り込まれた映像情報における所定部分に文字情報を付加することで前記曲間情報を作成する曲間情報作成手段を含むものである請求項１から５の何れかの音楽再生装置。
【請求項７】
所定の外部装置から前記曲間情報を取り込む曲間情報取込手段を含むものである請求項１から６の何れかの音楽再生装置。
【発明の詳細な説明】
【技術分野】
【０００１】
本発明は、例えば、カラオケボックスで使用されるカラオケ装置等の音楽再生装置に関し、特に、曲間情報出力機能の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
上記カラオケ装置では、通常、カラオケ演奏が行われていない間すなわち曲間において、新譜情報や選曲ランキング等の文字情報（テロップ）が映像表示装置に曲間情報として出力される。この曲間情報として広告をはじめとする各種情報を出力させるカラオケ装置が開発されている。例えば、特許文献１に記載されたカラオケ通信システムがそれである。このカラオケ通信システムによれば、センタ装置からの転送量を可及的に抑えて負荷を軽減することで、映像及び音声から成る各種曲間情報を確実に出力させることができる。
【０００４】
【特許文献１】特開平６−３１８０９０号公報
【０００５】
ところで、前記カラオケ装置の設置された店舗によっては、カラオケ演奏時間よりも曲間すなわち演奏待ち時間の方が長くなることが考えられる。この場合、前記曲間情報は、単に新譜情報や広告等の情報を提供するものではなく、場の雰囲気を形成する一要素となる。このため、前記曲間情報の出力内容すなわち音声の有無や映像の種類等が問題となるが、前記従来の技術では、前記曲間情報の出力内容を適宜変更することはできず、場の雰囲気がなおざりなものに成り勝ちであるという不具合があった。一方、新譜情報や広告等の情報を積極的に提供したい場合には、場の雰囲気を多少損なってもその情報を効果的に伝える曲間情報が求められる。しかし、演奏が終わるたびにボリュームを変更する等の操作は煩雑であり、とりわけカラオケボックス等の店舗においては現実性に乏しい。すなわち、所望に応じて曲間情報の出力内容を適宜変更し得る音楽再生装置は、未だ開発されていないのが現状である。
【発明の開示】
【発明が解決しようとする課題】
【０００６】
本発明は、以上の事情を背景として為されたものであり、その目的とするところは、所望に応じて曲間情報の出力内容を適宜変更し得る音楽再生装置を提供することにある。
【課題を解決するための手段】
【０００７】
斯かる目的を達成するために、本発明の要旨とするところは、複数の演奏曲のうちから選択された所望の演奏曲を出力させると共に、その演奏曲の出力が行われていない曲間に映像及び音声から成る所定の曲間情報を出力させる音楽再生装置であって、その曲間情報に関して音声出力の有無を設定する曲間情報音声設定手段を含むことを特徴とするものである。
【発明の効果】
【０００８】
このようにすれば、前記曲間情報に関して音声出力の有無を設定する曲間情報音声設定手段を含むことから、所望される場の雰囲気に応じてその曲間情報の音声をオフにしたり、その曲間情報の内容を効果的に伝えるために音声をオンにしたりというように、所望に応じて曲間情報の出力内容を適宜変更し得る音楽再生装置を提供することができる。
【０００９】
ここで、好適には、前記曲間情報音声設定手段は、前記曲間に出力させられる曲間情報の音声出力の有無を一括して設定し得るものである。このようにすれば、可及的に簡単な操作により前記曲間情報の音声出力の有無を設定することができる。
【００１０】
また、好適には、前記曲間情報音声設定手段は、各曲間情報の音声出力の有無をそれぞれ個別に設定し得るものである。このようにすれば、前記曲間情報の音声出力の有無を細かく設定することができ、より好適な場の雰囲気を形成することができる。
【００１１】
また、好適には、前記曲間情報は、複数の種類の何れかにそれぞれ分類されるものであり、前記音楽再生装置は、所定の種類に属する曲間情報が前記曲間に出力させられるように設定する曲間情報種類設定手段を含むものである。このようにすれば、前記曲間に出力される曲間情報の種類を限定することができ、より好適な場の雰囲気を形成することができる。
【００１２】
また、好適には、前記音楽再生装置の起動が行われてから前記演奏曲の出力が開始されるまでの間に初期情報として所定の曲間情報が出力させられるように設定する初期情報設定手段を含むものである。このようにすれば、所望の曲間情報を演奏前に予め出力させておくことで、所望の場の雰囲気を形成することができる。
【００１３】
また、好適には、予め取り込まれた映像情報における所定部分に文字情報を付加することで前記曲間情報を作成する曲間情報作成手段を含むものである。このようにすれば、前記音楽再生装置が設置される店舗のお薦め品等の広告を含む曲間映像をその店舗側で容易に作成することができ、その曲間映像により効果的な情宣を行うことができる。
【００１４】
また、好適には、所定の外部装置から前記曲間情報を取り込む曲間情報取込手段を含むものである。このようにすれば、パーソナルコンピュータ等により編集された前記音楽再生装置が設置される店舗のお薦め品等の広告を含む曲間映像を取り込むことができ、その曲間映像により効果的な情宣を行うことができる。
【実施例】
【００１５】
以下、本発明の好適な実施例を図面に基づいて詳細に説明する。
【００１６】
図１は、本発明が適用された音楽再生装置の一例であるカラオケ装置１０の構成を示すブロック線図である。このカラオケ装置１０は、ＣＲＴ等の映像表示装置１２と、背景映像再生装置であるディスクプレーヤ１４と、映像合成装置であるビデオミキサ１６と、アンプミキサ１８と、スピーカ２０と、マイク２２と、入力装置である操作パネル２４と、中央演算処理装置であるＣＰＵ２６、ＲＯＭ２８、ＲＡＭ３０、記憶装置であるハードディスク３２、ターミナルアダプタ３４、外部装置接続端子であるＵＳＢ端子３６、ＣＲＴコントローラ３８、上記操作パネル２４等の入力装置からの入力信号を処理する入出力インターフェイス４０、演奏情報を合成して出力するためのシンセサイザ４２、及びＭＰＥＧデコーダ４４とを、備えて構成されている。
【００１７】
上記ＣＰＵ２６は、上記ＲＡＭ３０の一時記憶機能を利用しつつ上記ＲＯＭ２８に記憶された所定のプログラムに基づいて電子情報を処理・制御する所謂コンピュータシステムであり、上記カラオケ装置１０の利用者（ユーザ）により所定のカラオケ演奏曲が選曲された場合、演奏音を生成するための演奏情報及び歌詞文字映像（歌詞テロップ）を生成するための歌詞情報から成るカラオケ情報に基づいてカラオケ演奏制御を実行する。すなわち、利用者により選曲されたカラオケ演奏曲に対応するカラオケ情報を上記ハードディスク３２からＲＡＭ３０に読み出したり、カラオケ演奏曲の演奏が進行するのに応じてそのＲＡＭ３０から上記シンセサイザ４２に演奏情報を送ったり、歌詞情報に基づいて歌詞文字映像を生成して上記ＣＲＴコントローラ３８に送ったり、選曲時には曲名文字映像を生成してＣＲＴコントローラ３８へ送ったり、上記ディスクプレーヤ１４により所定の背景映像を再生させる等の制御を実行する。また、カラオケ演奏曲の出力が行われていない曲間に映像及び音声から成る所定の曲間情報を出力させると共に、所定の操作に応じて後述する曲間情報設定制御及び店舗情報更新制御を実行する。
【００１８】
前記操作パネル２４は、ユーザが所望のカラオケ演奏曲を選曲するためにその演奏曲の識別ＩＤである選曲番号を入力したり、演奏曲の音程を調整したり、演奏と歌との音量バランスを調整したり、その他、エコー、音量、トーン等の各種調整を行うための操作釦（スイッチ）或いはツマミを備えた入力装置である。また、前記カラオケ装置１０には、前記操作パネル２４の一部機能を遠隔で実行するために、かかる操作パネル２４と同様に入力装置として機能するリモコン４６が備えられている。
【００１９】
前記ディスクプレーヤ１４は、カラオケ演奏時に前記映像表示装置１２に表示される背景映像を記憶したＣＤやＤＶＤを再生する背景映像再生装置である。また、前記ビデオミキサ１６は、前記ハードディスク３２から読み出された歌詞情報に基づいて前記ＣＰＵ２６において生成され且つ前記ＣＲＴコントローラ３８から出力される歌詞文字映像と、前記ディスクプレーヤ１４等から送られる背景映像とを合成して前記映像表示装置１２に表示させる映像合成装置である。
【００２０】
前記シンセサイザ４２は、前記ハードディスク３２から読み出されて送られて来る演奏情報に基づき、楽器の演奏信号等の音楽信号を生成する音源である。生成された音楽信号は、アナログ信号に変換されて前記アンプミキサ１８へ送られる。そのアンプミキサ１８では、送られてきた音楽信号と前記マイク２２を介して入力されるユーザの歌声とがミキシングされ、それらの信号が電気的に増幅される。そして、そのミキシングされた音が前記スピーカ２０から出力される。
【００２１】
前記ＭＰＥＧデコーダ４４は、ＭＰＥＧ（Moving Picture Experts Group）形式で圧縮された映像・音声信号を復号する復号器である。このＭＰＥＧデコーダ４４により復号された映像は、前記ビデオミキサ１６を介して前記映像表示装置１２により出力される一方、復号された音声は、前記アンプミキサ１８を介して前記スピーカ２０により出力される。
【００２２】
前記ターミナルアダプタ３４は、前記カラオケ装置１０を公衆電話回線、有線放送用ケーブル、又は光ファイバ等による通信回線４８に接続するための装置である。カラオケボックス等の店舗にそれぞれ備えられた複数のカラオケ装置１０は、上記通信回線４８を介してカラオケサービス提供会社のホストサーバ５０に接続されており、それら複数のカラオケ装置１０によって常に新しい曲が演奏可能とされるように、随時新曲のカラオケ情報及び後述する曲間情報等の各種情報が上記ホストサーバ５０から上記通信回線４８を介してダウンロードされ、前記ハードディスク３２の各種データベースに記憶されるようになっている。また、前記ＵＳＢ端子３６は、接続ケーブルであるＵＳＢケーブル５２を介して前記カラオケ装置１０を携帯電話機やパーソナルコンピュータ等の外部装置５４に接続するための外部装置接続端子であり、各種情報が上記外部装置５４から上記ＵＳＢケーブル５２及びＵＳＢ端子３６を介して入力可能とされている。
【００２３】
図２は、前記ハードディスク３２に設けられた各種データベースを説明する図である。この図２に示すように、前記ハードディスク３２には、各演奏曲毎のカラオケ情報を記憶するためのカラオケデータベース５６と、カラオケ演奏曲の出力が行われていない曲間に出力される曲間情報を記憶するための曲間情報データベース５８とが設けられている。このカラオケデータベース５６には、選曲番号により識別される各演奏曲のカラオケ情報すなわち曲名及び歌手名等を含むタイトル情報、背景映像を指定するための背景映像指定情報、ＭＩＤＩ（Musical Instrument Digital Interface）形式にて圧縮された演奏情報、及び歌詞情報等が記憶されるようになっている。
【００２４】
図３は、上記曲間情報データベース５８の内容を例示する図である。この図３に示すように、上記曲間情報データベース５８には、例えば、ＭＰＥＧ形式にて圧縮された映像及び音声から成る曲間情報が記憶されると共に、各曲間情報毎に出力開始日、出力終了日、出力時間帯、出力曜日、及び音声の有無が設定できるようになっている。この曲間情報は、例えば、前記ホストサーバ５０に接続された複数のカラオケ装置１０に共通する曲間情報であるセンタ情報及び各カラオケ装置１０乃至はそのカラオケ装置１０の設置される店舗に固有（オリジナル）の曲間情報である店舗情報の何れかにそれぞれ分類されるものであり、前記曲間情報データベース５８に設けられたセンタ情報データベース６０及び店舗情報データベース６２の何れかにそれぞれ分別されて記憶されるようになっている。なお、全ての曲間情報に音声が含まれているわけではなく、例えば、後述する初期情報として用いられる曲間情報は、音声のない静止画から成るものが好ましい。
【００２５】
上記センタ情報とは、例えば、従来のカラオケ装置にて曲間に出力されていた新譜情報や選曲ランキング等の文字情報、所定の地域乃至は全国を対象とする広域広告、或いは前記カラオケ装置１０の起動が行われてからカラオケ演奏曲の出力が開始されるまでの間に前記映像表示装置１２に表示されるデフォルトの初期情報等であり、全てのカラオケ装置１０に共通して配信される広域配信情報である。一方、上記店舗情報とは、例えば、図５に示すような前記カラオケ装置１０が設置された店舗のお薦め品等の内容や値段を表す店舗別広告、その店舗の属するフランチャイズチェーンに関する宣伝、或いは前記カラオケ装置１０の起動が行われてからカラオケ演奏曲の出力が開始されるまでの間に前記映像表示装置１２に表示される店舗オリジナルの初期情報等であり、その店舗に設置されたカラオケ装置１０をはじめとする所定の関連を有するカラオケ装置１０のみに配信される限定配信情報である。この店舗情報は、後述する曲間情報作成手段７２により前記カラオケ装置１０において作成されたり、或いは携帯電話機やパーソナルコンピュータ等の外部装置５４により作成されたものが曲間情報取込手段７４により取り込まれることも考えられる。
【００２６】
図４は、前記カラオケ装置１０に備えられたＣＰＵ２６の制御機能の要部を説明する機能ブロック線図である。この図４に示す曲間情報出力手段６４は、カラオケ演奏曲の出力が行われていない曲間に映像及び音声から成る所定の曲間情報を出力させる。具体的には、前記曲間情報データベース５８に記憶された曲間情報を前記ＲＡＭ３０に読み出してその曲間情報を前記ＭＰＥＧデコーダ４４により復号した後、その復号された映像を前記映像表示装置１２により表示させると共に、復号された音声を前記スピーカ２０により出力させる。この曲間情報出力手段６４は、前記曲間情報データベース５８の設定に基づいて曲間情報の出力を制御するものであり、各曲間情報毎に定められた出力開始日、出力終了日、出力時間帯、及び出力曜日の範囲内でその曲間情報を出力させる。また、各曲間情報毎に定められた音声の有無に従ってその曲間情報の音声出力を制御する。すなわち、音声が有りと設定されている場合には、前記スピーカ２０からその曲間情報の音声を出力させるが、音声が無しと設定されている場合には、その曲間情報の音声を出力させない。
【００２７】
曲間情報音声設定手段６６は、カラオケ演奏曲の出力が行われていない曲間に出力される前記曲間情報に関して音声出力の有無を設定する。好適には、上記曲間情報出力手段６４により出力される曲間情報の音声出力の有無を一括して設定する。すなわち、上記曲間情報音声設定手段６６により曲間情報の音声出力が禁止された場合には、前記曲間情報データベース５８における音声出力の有無の設定に係わらずそれら曲間情報の出力に関して前記スピーカ２０から音声は出力されず、前記映像表示装置１２に映像のみが表示される。また、上記曲間情報音声設定手段６６は、好適には、前記曲間情報データベース５８に記憶された各曲間情報の音声出力の有無をそれぞれ個別に設定する。すなわち、図３に示すように、前記曲間情報データベース５８において各曲間情報毎に設定された音声の有無を個別に書き換える。
【００２８】
曲間情報種類設定手段６８は、前記曲間情報出力手段６４により所定の種類に属する曲間情報が前記曲間に出力させられるように設定する。例えば、曲間情報の出力モードを「１．センタ情報のみ」、「２．店舗情報のみ」、「３．センタ情報及び店舗情報の両方」のうち何れかに設定する。出力モードが「１．センタ情報のみ」である場合には、前記曲間情報出力手段６４は、専ら前記センタ情報データベース６０に記憶されたセンタ情報を曲間情報として出力させる。出力モードが「２．店舗情報のみ」である場合には、前記曲間情報出力手段６４は、専ら前記店舗情報データベース６２に記憶された店舗情報を曲間情報として出力させる。出力モードが「３．センタ情報及び店舗情報の両方」である場合には、前記曲間情報出力手段６４は、前記センタ情報データベース６０及び店舗情報データベース６２に記憶されたセンタ情報及び店舗情報の何れもを曲間情報として出力させる。
【００２９】
初期情報設定手段７０は、前記カラオケ装置１０の起動が行われてからカラオケ演奏曲の出力が開始されるまでの間に初期情報として所定の曲間情報が出力させられるように設定する。この初期情報としては、デフォルトのセンタ情報が予め全てのカラオケ装置１０に共通して設定されているが、例えば、図６に示すような前記カラオケ装置１０の設置された店舗のキャッチコピーや店舗名等を含むオリジナルの店舗情報をこの初期情報として設定することもできる。
【００３０】
曲間情報作成手段７２は、予め取り込まれた映像情報における所定部分に文字情報を付加することで前記曲間情報を作成する。この曲間情報作成手段７２により作成される曲間情報は、前記カラオケ装置１０すなわち店舗の側で作成される店舗情報である。所定の操作により曲間情報の作成が開始されると、図７に示すような曲間情報の条件入力画面が前記映像表示装置１２に表示される。前記店舗情報データベース６２（或いはセンタ情報データベース６０）には、図８に示すような所定位置に文字入力が可能とされた各種映像情報が予め取り込まれており、上記曲間情報作成手段７２によりその所定位置に店舗オリジナルの文字情報が付加されて曲間情報として作成される。この態様では、映像情報に付随して音声も予め取り込まれるが、好適には、「美味しいビールが冷えてます」というように、予め取り込まれた映像情報と関係しつつも商品の値段といった店舗毎に異なる内容には触れない音声とされる。上記所定位置への文字入力は、好適には、前記操作パネル２４又はリモコン４６を入力装置として行われるものであり、例えば、図９に示すような漢字音読み選択画面により入力が所望される漢字の音読みの先頭が選択された後、図１０に示すような漢字選択画面により所望される漢字そのものが選択されるといった工程により、矢印釦（カーソルキー）及び決定釦のみにより漢字、平仮名、片仮名、数字、及び記号の何れもが入力可能とされている。また、好適には、前記ＵＳＢ端子３６及びＵＳＢケーブル５２を介してキーボード等の入力装置を接続し、その入力装置により文字情報の入力を行うものであってもよい。以上のようにして、図８に示すような予め取り込まれた映像情報における所定部分に「ユウヒ樽生４００円」等の文字情報が付加され、図５に示すような店舗オリジナルの店舗情報が作成される。この曲間情報作成手段７２により作成された店舗情報は、前記店舗情報データベース６２に記憶される。
【００３１】
曲間情報取込手段７４は、予め携帯電話機やパーソナルコンピュータ等の外部装置５４により作成された曲間情報を前記ＵＳＢ端子３６及びＵＳＢケーブル５２を介して取り込む。例えば、パーソナルコンピュータに備えられた所定のアプリケーションを用いることで所望の映像及び音声から成る店舗情報を作成することが可能であり、この場合には、店舗側で撮影されたオリジナル映像及び収録されたオリジナル音声を店舗情報に盛り込むことができる。この曲間情報取込手段７４により取り込まれる曲間情報は、前記カラオケ装置１０すなわち店舗の側で取り込まれる店舗情報であり、前記店舗情報データベース６２に記憶される。
【００３２】
出力条件設定手段７６は、前記曲間情報データベース５８において各曲間情報毎に定められた出力開始日、出力終了日、出力時間帯、及び出力曜日等の出力条件を設定（変更）する。なお、新曲ＣＤの広告のセンタ情報等において出力開始日等が厳密に遵守される必要がある場合には、所定のプロテクトによりその出力条件に関しては変更不可とすることも考えられる。
【００３３】
図１１は、前記カラオケ装置１０のＣＰＵ２６による曲間情報設定制御を説明するフローチャートであり、所定の周期で繰り返し実行されるものである。
【００３４】
先ず、ステップ（以下、ステップを省略する）ＳＡ１において、所定の操作により曲間情報の設定が開始される。次に、ＳＡ２において、曲間情報の音声出力設定であるか否かが判断される。このＳＡ２の判断が否定される場合には、ＳＡ９において、出力される曲間情報の種類の設定であるか否かが判断されるが、ＳＡ２の判断が肯定される場合には、ＳＡ３において、出力される曲間情報の音声出力の有無を一括して設定するか否かが判断される。このＳＡ３の判断が否定される場合には、ＳＡ６において、前記曲間情報データベース５８に記憶された各曲間情報の音声出力の有無がそれぞれ個別に設定されるが、ＳＡ３の判断が肯定される場合には、ＳＡ４において、出力される曲間情報を一括して音声有りに設定するか否かが判断される。このＳＡ４の判断が肯定される場合には、ＳＡ５において、出力される曲間情報が一括して音声有りに設定された後、ＳＡ８において、曲間情報設定を継続するか否かが判断されるが、ＳＡ４の判断が否定される場合、すなわち出力される曲間情報を一括して音声無しに設定すると判断される場合には、ＳＡ７において、出力される曲間情報が一括して音声無しに設定された後、ＳＡ８において、曲間情報設定を継続するか否かが判断される。このＳＡ８の判断が肯定される場合には、ＳＡ２以下の処理が再び実行されるが、ＳＡ８の判断が否定される場合には、それをもって本ルーチンが終了させられる。
【００３５】
ＳＡ９の判断が否定される場合、すなわち出力される曲間情報の種類の設定ではないと判断される場合には、ＳＡ１５において、初期情報の設定であるか否かが判断されるが、ＳＡ９の判断が肯定される場合、すなわち出力される曲間情報の種類の設定であると判断される場合には、ＳＡ１０において、出力モードを「１．センタ情報のみ」に設定するか否かが判断される。このＳＡ１０の判断が肯定される場合には、ＳＡ１１において、出力モードが「１．センタ情報のみ」に設定されて店舗情報の出力が禁止された後、ＳＡ８以下の処理が再び実行されるが、ＳＡ１０の判断が否定される場合には、ＳＡ１２において、出力モードを「２．店舗情報のみ」に設定するか否かが判断される。このＳＡ１２の判断が肯定される場合には、ＳＡ１３において、出力モードが「２．店舗情報のみ」に設定されてセンタ情報の出力が禁止された後、ＳＡ８以下の処理が再び実行されるが、ＳＡ１２の判断が否定される場合には、ＳＡ１４において、出力モードが「３．センタ情報及び店舗情報の両方」に設定されてセンタ情報及び店舗情報の何れの出力も許可された後、ＳＡ８以下の処理が再び実行される。
【００３６】
ＳＡ１５の判断が否定される場合、すなわち初期情報の設定ではないと判断される場合には、ＳＡ８以下の処理が再び実行されるが、ＳＡ１５の判断が肯定される場合、すなわち初期情報の設定であると判断される場合には、ＳＡ１６において、デフォルトのセンタ情報を初期情報として設定するか否かが判断される。このＳＡ１６の判断が肯定される場合には、ＳＡ１７において、デフォルトのセンタ情報が初期情報として設定された後、ＳＡ８以下の処理が再び実行されるが、ＳＡ１６の判断が否定される場合には、ＳＡ１８において、センタ情報データベース６０又は店舗情報データベース６２に記憶された曲間情報ファイルのうちから初期情報ファイルが指定される。次に、ＳＡ１９において、ＳＡ１８にて指定された曲間情報に対応するプレビュー画面が前記映像表示装置１２に表示される。次に、ＳＡ２０において、ＳＡ１９にて表示された曲間情報を初期情報として設定するか否かが判断される。このＳＡ２０の判断が否定される場合には、ＳＡ１８以下の処理が再び実行されるが、ＳＡ２０の判断が肯定される場合には、ＳＡ２０にて表示されたプレビュー画面すなわちＳＡ１８にて指定された曲間情報が初期情報として設定された後、ＳＡ８以下の処理が再び実行される。以上の制御において、ＳＡ２乃至ＳＡ７が前記曲間情報音声設定手段６６に、ＳＡ９乃至ＳＡ１４が前記曲間情報種類設定手段６８に、ＳＡ１５乃至ＳＡ２１が前記初期情報設定手段７０にそれぞれ対応する。
【００３７】
図１２は、前記カラオケ装置１０のＣＰＵ２６による店舗情報更新（追加）制御を説明するフローチャートであり、所定の周期で繰り返し実行されるものである。
【００３８】
先ず、ＳＢ１において、所定の操作により店舗情報の更新が開始される。次に、ＳＢ２において、所定の外部装置５４からの店舗情報の取り込みであるか否かが判断される。このＳＢ２の判断が否定される場合には、ＳＢ６において、店舗情報の作成であるか否かが判断されるが、ＳＢ２の判断が肯定される場合には、ＳＢ３において、所定の外部装置５４から曲間情報が取り込まれる。次に、ＳＢ４において、ＳＢ３にて取り込まれた曲間情報が店舗情報として前記ハードディスク３２の店舗情報データベース６２に記憶される。次に、ＳＢ５において、店舗情報の更新を継続するか否かが判断される。このＳＢ５の判断が肯定される場合には、ＳＢ２以下の処理が再び実行されるが、ＳＢ５の判断が否定される場合には、それをもって本ルーチンが終了させられる。
【００３９】
ＳＢ６の判断が否定される場合、すなわち店舗情報の作成ではないと判断される場合には、ＳＢ５以下の処理が再び実行されるが、ＳＢ６の判断が肯定される場合、すなわち店舗情報の作成であると判断される場合には、ＳＢ７において、前述した図７に示すような条件入力画面が前記映像表示装置１２に表示され、所望される店舗情報に応じて各項目がチェックされる。次に、ＳＢ８において、ＳＢ７にて入力された条件に合致する図８に示すような所定位置に文字入力が可能とされた映像情報が前記映像表示装置１２にプレビュー表示される。次に、ＳＢ９において、ＳＢ８にて表示された映像情報を作成される店舗情報のベースとして指定するか否かが判断される。このＳＢ９の判断が否定される場合には、ＳＢ７以下の処理が再び実行されるが、ＳＢ９の判断が肯定される場合には、前述した図９及び図１０に示すような画面に従って文字情報が入力される。次に、ＳＢ１１において、作成された曲間情報の映像が前記映像表示装置１２にプレビュー表示される。次に、ＳＢ１２において、ＳＢ１１にて表示された曲間情報に決定するか否かが判断される。このＳＢ１２の判断が否定される場合には、ＳＢ１０以下の処理が再び実行されるが、ＳＢ１２の判断が肯定される場合には、ＳＢ１３において、作成された曲間情報が店舗情報として前記ハードディスク３２の店舗情報データベース６２に記憶された後、ＳＢ５以下の処理が再び実行される。以上の制御において、ＳＢ６乃至ＳＢ１３が前記曲間情報作成手段７２に、ＳＢ２乃至ＳＢ４が前記曲間情報取込手段７４にそれぞれ対応する。
【００４０】
このように、本実施例によれば、前記曲間情報に関して音声出力の有無を設定する曲間情報音声設定手段６６（ＳＡ２乃至ＳＡ７）を含むことから、所望される場の雰囲気に応じてその曲間情報の音声をオフにしたり、その曲間情報の内容を効果的に伝えるために音声をオンにしたりというように、所望に応じて曲間情報の出力内容を適宜変更し得るカラオケ装置１０を提供することができる。
【００４１】
また、前記曲間情報音声設定手段６６は、前記曲間に出力させられる曲間情報の音声出力の有無を一括して設定し得るものであるため、可及的に簡単な操作により前記曲間情報の音声出力の有無を設定することができる。
【００４２】
また、前記曲間情報音声設定手段６６は、各曲間情報の音声出力の有無をそれぞれ個別に設定し得るものであるため、前記曲間情報の音声出力の有無を細かく設定することができ、より好適な場の雰囲気を形成することができる。
【００４３】
また、前記曲間情報は、複数の種類の何れかにそれぞれ分類されるものであり、前記カラオケ装置１０は、所定の種類に属する曲間情報が前記曲間に出力させられるように設定する曲間情報種類設定手段６８（ＳＡ９乃至ＳＡ１４）を含むものであるため、前記曲間に出力される曲間情報の種類を限定することができ、より好適な場の雰囲気を形成することができる。
【００４４】
また、前記曲間情報の出力に関する種々の条件をそれぞれ個別に設定する出力条件設定手段７６を含むものであり、前記曲間情報出力手段６４は、それらの条件に基づいてその曲間情報を出力させるものであるため、前記曲間に出力される曲間情報の種類を限定することができ、より好適な場の雰囲気を形成することができる。或いは、その曲間映像により効果的な情宣を行うことができる。
【００４５】
また、前記カラオケ装置１０の起動が行われてから前記演奏曲の出力が開始されるまでの間に初期情報として所定の曲間情報が出力させられるように設定する初期情報設定手段７０（ＳＡ１５乃至ＳＡ２１）を含むものであるため、所望の曲間情報を演奏前に予め出力させておくことで、所望の場の雰囲気を形成することができる。
【００４６】
また、予め取り込まれた映像情報における所定部分に文字情報を付加することで前記曲間情報を作成する曲間情報作成手段７２（ＳＢ６乃至ＳＢ１３）を含むものであるため、前記カラオケ装置１０が設置される店舗のお薦め品等の広告を含む曲間映像をその店舗側で容易に作成することができ、その曲間映像により効果的な情宣を行うことができる。
【００４７】
また、所定の外部装置５４から前記曲間情報を取り込む曲間情報取込手段７４（ＳＢ２乃至ＳＢ４）を含むものであるため、パーソナルコンピュータ等により編集された前記カラオケ装置１０が設置される店舗のお薦め品等の広告を含む曲間映像を取り込むことができ、その曲間映像により効果的な情宣を行うことができる。
【００４８】
以上、本発明の好適な実施例を図面に基づいて詳細に説明したが、本発明はこれに限定されるものではなく、更に別の態様においても実施される。
【００４９】
例えば、前述の実施例では、カラオケボックス等で使用されるカラオケ装置１０に本発明が適用された一例について説明したが、例えば、店舗等に設置されて映像を表示させると共にＢＧＭを出力するＢＧＭ再生装置等、様々な態様の音楽再生装置に本発明は好適に適用され得る。
【００５０】
また、前述の実施例において、前記曲間情報は、各カラオケ装置１０に備えられたハードディスク３２に記憶されるものであったが、例えば、複数のカラオケ装置１０に接続された自家サーバの記憶装置に前記曲間情報が記憶され、各カラオケ装置１０により随時その自家サーバの記憶装置から曲間情報が読み出されるものであっても構わない。この態様によれば、前記曲間情報を記憶するための記憶装置の容量が少なくて済むという利点がある。
【００５１】
また、前述の実施例において、前記曲間情報作成手段７２は、予め店舗情報として作成されることが予定された映像に文字を加える等して店舗情報を作成するものであったが、例えば、前記ホストサーバ５０側で作成されたセンタ情報に細工を加えることで店舗情報として作成するものであってもよい。
【００５２】
また、前記曲間情報出力手段６４は、好適には、それぞれの曲間情報の出力頻度を設定することができる。更に好適には、センタ情報或いは店舗情報毎にそれぞれの曲間情報の出力頻度を設定することができる。また、曲間情報毎に音声出力のボリュームを設定し得るものであってもよい。
【００５３】
また、前述の実施例では、特に言及していないが、店舗等において所定のカラオケ装置１０に記憶された曲間情報を端末個別番号を指定すること等により店舗内に設置された他のカラオケ装置１０から出力させる態様も当然に考えられる。
【００５４】
また、前述の実施例では、特に言及していないが、前記曲間情報の映像は動画であると静止画であるとを問わない。また、音声は必ずしも人間の声でなくともよく、合成音声、短い旋律、或いは効果音等であっても構わない。また、どうしても音声つきでの出力が望まれる曲間情報に関しては、予めロックをかける等して音声出力を強制化してもよい。
【００５５】
その他、一々例示はしないが、本発明はその趣旨を逸脱しない範囲内において、種々の変更が加えられて実施されるものである。
【図面の簡単な説明】
【００５６】
【図１】本発明が適用された音楽再生装置の一例であるカラオケ装置の構成を示すブロック線図である。
【図２】図１のハードディスクに設けられた各種データベースを説明する図である。
【図３】図２の曲間情報データベースの内容を例示する図である。
【図４】図１のカラオケ装置に備えられたＣＰＵの制御機能の要部を説明する機能ブロック線図である。
【図５】図２の店舗情報データベースに記憶される店舗情報の映像の一例である。
【図６】図２の店舗情報データベースに記憶される店舗情報の映像の一例であり、初期情報として設定され得るものである。
【図７】図１の映像表示装置に表示される曲間情報の条件入力画面である。
【図８】図２の店舗情報データベースに記憶される所定位置に文字入力が可能とされた映像情報の一例を示す図である。
【図９】図１の映像表示装置に表示される漢字音読み選択画面である。
【図１０】図１の映像表示装置に表示される漢字選択画面である。
【図１１】図１のカラオケ装置のＣＰＵによる曲間情報設定制御を説明するフローチャートである。
【図１２】図１のカラオケ装置のＣＰＵによる店舗情報更新制御を説明するフローチャートである。
【符号の説明】
【００５７】
１０：カラオケ装置（音楽再生装置）
５４：外部装置
６６：曲間情報音声設定手段
６８：曲間情報種類設定手段
７０：初期情報設定手段
７２：曲間情報作成手段
７４：曲間情報取込手段
【図１】
2005148577.tif 000003
【図２】
2005148577.tif 000004
【図３】
2005148577.tif 000005
【図４】
2005148577.tif 000006
【図５】
2005148577.tif 000007
【図６】
2005148577.tif 000008
【図７】
2005148577.tif 000009
【図８】
2005148577.tif 000010
【図９】
2005148577.tif 000011
【図１０】
2005148577.tif 000012
【図１１】
2005148577.tif 000013
【図１２】
2005148577.tif 000014